(57)【要約】【課題】人が多く話す特定の番組を視聴した時に、視聴者に対して話速変換機能の利用を促すことにより、放送局側で複数種類の番組音声を用意しなくても話速変換機能を十分に活かす。【解決手段】ＣＰＵ１３は、受信信号中から多重分離部３により分離されたその他のデータからＥＩＴを抽出して、現在視聴中の番組のジャンルを調べる。ＣＰＵ１３は、そのジャンルが予め定めた特定のジャンルであると判定したときは、話速変換を促すＯＳＤを生成して、グラフィック映像ミックス部６で復号映像信号に重畳し、その重畳信号を映像出力部７から出力する。話速変換を促すＯＳＤは、例えば視聴者に対して視聴中の番組音声の速度をゆっくりさせて聞き取り易くすることができる旨を視聴者に通知するため、デジタル放送受信機１８の画面にグラフィカルに表示される。【選択図】図１
2010098522.tif 000002
【特許請求の範囲】
【請求項１】
ジャンル情報を含んで放送されるデジタル放送番組を選局受信して受信信号を出力する受信手段と、
前記受信信号中の映像データを復号して復号映像信号を出力する映像復号手段と、
前記受信信号中の音声データを復号して復号音声信号を出力する音声復号手段と、
前記復号音声信号に対して話速変換を行う話速変換手段と、
前記受信信号から、現在選局受信中の前記デジタル放送番組の前記ジャンル情報を抽出する抽出手段と、
前記ジャンル情報が予め設定した特定のジャンル情報と一致するか否かを判定する判定手段と、
前記判定手段により一致判定結果が得られたときに、前記話速変換手段による話速変換動作を促す話速変換表示情報を生成し、その話速変換表示情報を前記復号映像信号に重畳して表示させる話速変換表示情報重畳手段と
を有することを特徴とするデジタル放送受信機。
【請求項２】
ジャンル情報を含んで放送されるデジタル放送番組を選局受信して受信信号を出力する受信手段と、
前記受信信号中の映像データを復号して復号映像信号を出力する映像復号手段と、
前記受信信号中の音声データを復号して復号音声信号を出力する音声復号手段と、
前記復号音声信号に対して話速変換を行う話速変換手段と、
前記デジタル放送番組受信中に、前記復号音声信号が、話速変換が行なわれた音声に変わった場合、前記受信信号から現在受信中の前記デジタル放送番組の前記ジャンル情報を抽出する抽出手段と、
前記抽出手段により抽出された前記ジャンル情報を記憶する不揮発性の記憶手段と、
前記デジタル放送番組を選局受信する毎に、前記抽出手段により抽出された前記ジャンル情報が、前記記憶手段に記憶されている前記ジャンル情報と一致するか否かを判定する判定手段と、
前記判定手段により一致判定結果が得られたときに、前記話速変換手段による話速変換動作を促す話速変換表示情報を生成し、その話速変換表示情報を前記復号映像信号に重畳して表示させる話速変換表示情報重畳手段と
を有することを特徴とするデジタル放送受信機。
【請求項３】
前記記憶手段は、前記ジャンル情報と共にその時に設定した話速変換速度の情報を記憶し、
前記話速変換表示情報重畳手段は、前記判定手段により一致判定結果が得られたときに、前記話速変換手段による話速変換動作を、前記記憶手段から読み出した前記話速変換速度の情報が示す速度で行うことを促す話速変換表示情報を生成し、その話速変換表示情報を前記復号映像信号に重畳して表示させることを特徴とする請求項２記載のデジタル放送受信機。
【請求項４】
前記判定手段により一致判定結果が得られないときは、前記話速変換表示情報が表示されているかどうかを検出し、前記話速変換表示情報が表示されているときはその話速変換表示情報の表示を消去する表示消去手段を更に有することを特徴とする請求項１乃至３のうちいずれか一項記載のデジタル放送受信機。
【請求項５】
前記話速変換表示情報は、現在の再生音声速度よりも遅い速度で音声を聞くことができることを示す文字列と、リモコンのボタンの中で押下する話速変換ボタンの位置を示す絵表示との、いずれか一方又は両方であることを特徴とする請求項１乃至４のうちいずれか一項記載のデジタル放送受信機。
【発明の詳細な説明】
【技術分野】
【０００１】
本発明はデジタル放送受信機に係り、特に話速変換処理を行うデジタル放送受信機に関する。
【背景技術】
【０００２】
テレビジョン受信機は、周知のように受信した放送内容を画面に表示させ、視聴者が番組を視聴できるようにする。このようなテレビジョン受信機において、高齢者など聴力の低下した視聴者が、話す速度（以下、音声速度と呼ぶ）の速い音声がある番組を視聴した際、内容を理解するのが難しいという問題がある。
【０００３】
これに対応するため、テレビジョン受信機の中には、受信した放送番組の音声（以下、番組音声と呼ぶ）を話速変換してゆっくり出力するための音声処理装置を搭載するデジタル放送受信機が存在する。そのような音声処理装置が搭載されたデジタル放送受信機は、音声速度の速い番組音声がある番組を視聴者が視聴する場合、視聴者がリモコンの所定のボタンを押下したときに、音声処理装置の話速変換機能を実行し、聞き易い速度で番組音声を出力する。
【０００４】
しかしながら、実際にゆっくり話す機能を必要とする視聴者、例えば高齢者にとっては、デジタル放送受信機のリモコンのボタン数が多いためにリモコンの操作が煩雑で、話速変換機能を十分に使いこなすことができない。
【０００５】
そこで、このような課題を解決するデジタル放送方式が従来知られている（例えば、特許文献１参照）。この特許文献１記載のデジタル放送方式では、予め放送局側で、通常音声速度の番組音声と共に、少なくとも一種類の通常音声速度よりも遅い音声速度の番組音声を用意して、それら複数種類の番組音声をデジタル放送信号として映像と共に送信し、受信側のデジタル放送受信機において、受信した複数種類の番組音声の中から視聴者が音声速度の遅い番組音声を、例えばジャンルなどに基づいて選択する。
【０００６】
【特許文献１】特開２００５−３０３８７９号公報
【発明の開示】
【発明が解決しようとする課題】
【０００７】
しかし、上記の特許文献１記載のデジタル放送方式では、放送局側で一つの番組について複数種類の番組音声を用意しなければならず、この方法で放送をしている放送局や番組は現在限られている。このため、特許文献１記載のデジタル放送方式が適用されたデジタル放送受信機は、実際にはあまり利用することができない。また、特許文献１記載のデジタル放送受信機では、視聴者がジャンルを登録する操作も必要である。
【０００８】
本発明は上記の点に鑑みなされたもので、人が話すシーンの多い特定の番組を視聴した時に、視聴者に対して話速変換機能の利用を促すことにより、放送局側で複数種類の番組音声を用意しなくても話速変換機能を十分に活かすことが可能なデジタル放送受信機を提供することを目的とする。
【課題を解決するための手段】
【０００９】
上記の目的を達成するため、本発明のデジタル放送受信機は、ジャンル情報を含んで放送されるデジタル放送番組を選局受信して受信信号を出力する受信手段と、受信信号中の映像データを復号して復号映像信号を出力する映像復号手段と、受信信号中の音声データを復号して復号音声信号を出力する音声復号手段と、復号音声信号に対して話速変換を行う話速変換手段と、受信信号から、現在選局受信中のデジタル放送番組のジャンル情報を抽出する抽出手段と、ジャンル情報が予め設定した特定のジャンル情報と一致するか否かを判定する判定手段と、判定手段により一致判定結果が得られたときに、話速変換手段による話速変換動作を促す話速変換表示情報を生成し、その話速変換表示情報を復号映像信号に重畳して表示させる話速変換表示情報重畳手段とを有することを特徴とする。
【００１０】
また、上記の目的を達成するため、本発明のデジタル放送受信機は、ジャンル情報を含んで放送されるデジタル放送番組を選局受信して受信信号を出力する受信手段と、受信信号中の映像データを復号して復号映像信号を出力する映像復号手段と、受信信号中の音声データを復号して復号音声信号を出力する音声復号手段と、復号音声信号に対して話速変換を行う話速変換手段と、デジタル放送番組受信中に、復号音声信号が、話速変換が行なわれた音声に変わった場合、受信信号から現在受信中のデジタル放送番組のジャンル情報を抽出する抽出手段と、抽出手段により抽出されたジャンル情報を記憶する不揮発性の記憶手段と、デジタル放送番組を選局受信する毎に、抽出手段により抽出されたジャンル情報が、記憶手段に記憶されているジャンル情報と一致するか否かを判定する判定手段と、判定手段により一致判定結果が得られたときに、話速変換手段による話速変換動作を促す話速変換表示情報を生成し、その話速変換表示情報を復号映像信号に重畳して表示させる話速変換表示情報重畳手段とを有することを特徴とする。
ここで、上記の記憶手段は、ジャンル情報と共にその時に設定した話速変換速度の情報を記憶し、話速変換表示情報重畳手段は、判定手段により一致判定結果が得られたときに、話速変換手段による話速変換動作を、記憶手段から読み出した話速変換速度の情報が示す速度で行うことを促す話速変換表示情報を生成し、その話速変換表示情報を復号映像信号に重畳して表示させることを特徴とする。
【００１１】
また、本発明は、判定手段により一致判定結果が得られないときは、話速変換表示情報が表示されているかどうかを検出し、話速変換表示情報が表示されているときはその話速変換表示情報の表示を消去する表示消去手段を更に有するようにしてもよい。
【００１２】
更に、本発明における話速変換表示情報は、現在の再生音声速度よりも遅い速度で音声を聞くことができることを示す文字列と、リモコンのボタンの中で押下する話速変換ボタンの位置を示す絵表示との、いずれか一方又は両方であってもよい。
【発明の効果】
【００１３】
本発明によれば、人が話すシーンの多いような番組を視聴した際に、聴力低下した視聴者に対して話速変換機能の利用を促すことにより、放送局側で複数種類の番組音声を用意しなくても話速変換機能を十分に活かすことができる。
【発明を実施するための最良の形態】
【００１４】
次に、本発明の実施の形態について図面を参照して詳細に説明する。
【００１５】
図１は、本発明になるデジタル放送受信機の一実施の形態のブロック図を示す。受信する放送番組（以下、単に番組と呼ぶ）には少なくとも映像と、音声と、番組情報とが含まれているものとする。
【００１６】
図１において、デジタル放送受信機１８は、アンテナ１で受信した放送電波を、復調及びデジタル化するチューナ２と、デジタル化された放送番組データを、圧縮符号化された放送映像データと、圧縮符号化された放送音声データとに分離して送出する多重分離部３と、圧縮符号化された放送映像データを復号化する映像データ復号部４と、不揮発性メモリ１２または作業メモリ１４に格納されている音声データを再生する効果音再生部５と、復号された放送映像データと画面上に提示するグラフィカルなメニュー画面データやデータ放送コンテンツに含まれるグラフィックスデータとを重畳するグラフィックス映像ミックス部６と、重畳された映像データを出力する映像出力部７と、圧縮符号化された放送音声データを復号化する音声データ復号部８と、音声合成部９と、合成された音声データを出力する音声出力部１０と、音声データに対して話速変換を行う話速変換部１６と、チューナ２から話速変換部１６や映像出力部７に至るまでの各構成部とバス１７を介して接続され、これらの構成部を制御する中央処理装置（ＣＰＵ）１３とを有する。
【００１７】
更に、デジタル放送受信機１８は、番組選局の履歴や個人情報、記憶すべき設定情報、内蔵音データ、メニュー画面データなどを格納する不揮発性メモリ１２と、ＣＰＵ１３が制御処理を行う際に使用する作業メモリ１４と、列挙した上記各構成部をＣＰＵ１３が制御するためのプログラムを格納するプログラムメモリ１５と、リモコン１９から、赤外線信号として送信されるコマンドを取得するリモコンＩ／Ｆ（インタフェース）１１とが、バス１７によりＣＰＵ１３に接続された構成となっている。
【００１８】
次に、デジタル放送受信機１８において、放送電波を受信した時の動作について説明する。
【００１９】
まず、チューナ２は、アンテナ１で受信した放送電波を復調及びデジタル化して放送番組データを取得する。多重分離部３は、チューナ２で取得された放送番組データから放送映像データと放送音声データとその他のデータとを分離抽出し、抽出した放送映像データは映像データ復号部４に送出し、抽出した放送音声データは音声データ復号部８に送出する。
【００２０】
映像データ復号部４は、圧縮された放送映像データを復号化して復号映像信号を生成し、その復号映像信号をグラフィックス映像ミックス部６へ出力する。グラフィックス映像ミックス部６は、映像データ復号部４からの復号映像信号に、不揮発性メモリ１２から取得したメニュー画面データや受信したデータ放送コンテンツに含まれるグラフィックデータ、更には後述する話速変換を促す表示情報を重畳して、映像出力部７を介して図示しないディスプレイへ出力し表示する。
【００２１】
音声データ復号部８は、圧縮された放送音声データを復号化して復号音声信号を生成し、その復号音声信号を音声合成部９へ出力する。音声合成部９は、復号音声信号と効果音再生部５で取得された内蔵音データ又はデータ放送コンテンツに含まれるコンテンツ音声データとを合成して合成音声データを生成する。音声出力部１０は、音声合成部９からの合成音声データを、映像データ出力部７から出力される映像データと同期させて出力する。
【００２２】
話速変換部１６は、ＣＰＵ１３によって、音声出力部１０から出力された音声データに対して、入力時の音声速度よりも遅い音声速度への話速変換を行うか、話速変換を行わないようするかを制御される。話速変換を行わない時は、話速変換部１６は、音声出力部１０から出力された音声データをそのまま出力する。また、話速変換部１６は、話速変換の音声速度を複数種類用意し、そのうちの一つの種類の話速変換の音声速度をＣＰＵ１３により設定されてもよい。
【００２３】
デジタル放送受信機１８は、以上のようにして、視聴者が番組を視聴できるようにする。以上の受信動作は従来と同じであるが、本発明は、プログラムメモリ１５に格納するプログラムによって、現在視聴している番組が、視聴者にとって話速変換が必要であると判断した時に、画面上に話速変換を実行することを促すサインを提示して、話速変換機能を利用する機会を確実に視聴者に提供するようにしたものである。以下その各実施の形態の動作について説明する。
【００２４】
（第１の実施の形態）
本実施の形態は、話速変換機能を活かすジャンルをデジタル放送受信機１８の内部の例えば不揮発性メモリ１２に予め設定しておく。ここでは、上記のジャンルとして、「ニュース・報道」と「バラエティ」であるものとする。なお、ジャンルの設定は、デジタル放送受信機１８の工場出荷時に予め初期設定しておいてもよいし、視聴者が任意に設定することができるようにしてもよい。
【００２５】
次に、本実施の形態の動作について、図１乃至図４と共に説明する。図２は、ＡＲＩＢ（Association of Radio Industries and Businesses;電波産業会）で規定されたデジタル放送のデータとして放送される番組配列情報のうち、コンテンツ記述子のデータ構造を示す図、図３は、図２に示したコンテンツ記述子のうち、「content_nibble_level_1」で示される番組ジャンル大分類を示す図、図４は、本発明のデジタル放送受信機の第１の実施の形態の動作説明用フローチャートである。
【００２６】
デジタル放送受信機１８は、アンテナ１で受信した放送電波をチューナ２により復調及びデジタル化して得られた放送番組データから放送映像データと放送音声データとその他のデータとを分離抽出する（ステップＳ１）。映像データ復号部４は、抽出した放送映像データを復号化して復号映像信号を出力し、また音声データ復号部８は抽出した音声データを復号化して復号音声信号を出力する（ステップＳ２）。
【００２７】
一方、ステップＳ１で抽出された「その他のデータ」には、映像音声以外のデータであるＰＡＴ(Program Association Table)やＰＭＴ(Program Map Table)などのＰＳＩ（Program Specific Information:伝送制御情報）や、ＳＩ（Service Information：番組配列情報）や、その他様々な情報が含まれる。このうちのＳＩの一つがＥＩＴ(Event Information Table)と呼ばれるもので、番組の名称、番組の放送日時、番組の内容説明など、番組に関する情報が記述されている。そこで、多重分離部３はその他のデータからＥＩＴを抽出する（ステップＳ３）。ＥＩＴは、セクションデータと呼ばれる形式でストリーム内に組み込まれてあり、多重分離部３は、ＥＩＴに相当するパケットＩＤ(IDentification number)に従ってＥＩＴを抽出する。
【００２８】
そのＥＩＴ内に、上記したコンテンツ記述子の情報があり、その中に番組のジャンルに関する情報が大分類と中分類とに分けて図２に示すデータ形式で記述されている。図３はこのジャンルに関する情報のうち大分類の形式を示す。図３に示すジャンル大分類には、「ニュース・報道」、「スポーツ」、「情報ワイドショー」、「ドラマ」、「音楽」、「バラエティ」、「映画」、「アニメ特撮」、「ドキュメンタリー・教養」、「劇場公演」、「趣味・教育」、「福祉」、その他のジャンル（未定義等）が図示した所定の値で割り当てられている。
【００２９】
ＣＰＵ１３は、ＥＩＴから現在視聴中の番組に関するコンテンツ記述子を取り出し、ジャンルを調べる（ステップＳ４）。続いて、ＣＰＵ１３は、図２のコンテンツ記述子のうちの「content_nibble_level_1」で示される番組ジャンル大分類を定義するコンテンツ記述子と、図３に示したジャンル大分類の割り当てとを参照して、ステップＳ４で調べたジャンルが予め設定されている「ニュース・報道」又は「バラエティ」であるか否かを判定する（ステップＳ５）。なお、ここでは、人が話す場面が長いと思われるジャンルとして、「ニュース・報道」及び「バラエティ」を予め設定しているが、これらのジャンルに限らず、「情報ワイドショー」などの他のジャンルを条件に加えてもよい。
【００３０】
ＣＰＵ１３は、現在視聴中の番組のジャンルが「ニュース・報道」及び「バラエティ」のいずれでもないと判定した場合は、話速変換を促すＯＳＤ(On Screen Display)が表示されていれば、それを消去する（ステップＳ６）。デジタル放送受信機１８は、以後、次の番組を視聴するまでステップＳ１〜Ｓ６の処理を繰り返す。
【００３１】
一方、ステップＳ５でＣＰＵ１３が、現在視聴中の番組のジャンルが「ニュース・報道」又は「バラエティ」であったと判定した場合は、デジタル放送受信機１８の現在の音声再生において話速変換部１６が実行されているかを調べる（ステップＳ７）。続いて、ＣＰＵ１３は、話速変換部１６が「ゆっくり速度」で動作しているかどうかを判定する（ステップＳ８）。
【００３２】
その結果、「ゆっくり速度」で動作していると判定した時には、デジタル放送受信機１８は、以後、次の番組を視聴するまでステップＳ１〜Ｓ５、Ｓ７、Ｓ８の処理を繰り返す。一方、「ゆっくり速度」ではなく通常の音声速度で話速変換部１６が動作している時には、視聴者が番組音声の速度に対して速過ぎる感を持っている可能性があるので、ＣＰＵ１３は、話速変換を促すＯＳＤを生成して、グラフィック映像ミックス部６で復号映像信号に重畳し、その重畳信号を映像出力部７から出力する（ステップＳ９）。
【００３３】
上記の話速変換を促すＯＳＤは、例えば視聴者に対して視聴中の番組音声の速度をゆっくりさせて聞き取り易くすることができる旨を視聴者に通知するため、デジタル放送受信機１８の画面にグラフィカルに表示される。視聴者はそのＯＳＤ表示を見ることによって、音声速度選択の制御に利用する。
【００３４】
表示の方法としては、番組映像の視聴の邪魔にならない程度にアイコン化して表示するか、リモコンのどのボタンを押せばよいのかを示す絵柄でＯＳＤ表示し、かつ、それによって音声をゆっくり聞くことができることを知らしめるようにするのが望ましい。
【００３５】
図５は、上記の話速変換を促すＯＳＤを表示させた画面の一例を示す。同図に示すように、デジタル放送受信機の画面２０にはデジタル放送番組映像２１が表示されており、かつ、デジタル放送番組映像２１の視聴の邪魔にならないように、画面２０の下側隅に話速変換を促すＯＳＤ（テロップ文字列）２２が表示されている。
【００３６】
なお、上記のＯＳＤ２２の替りに、又はＯＳＤ２２と共に、リモコンのボタンの中で、押下する話速変換ボタンの位置を示す絵を表示して、リモコンのどのボタンを押せば話速変換ができるのかが分かるようにするようにしてもよい。つまり、話速変換を促すＯＳＤは、話速変換を促すことを視聴者に伝達できれば、どのような表示形態であってもよい。
【００３７】
このように、本実施の形態によれば、「ニュース・報道」、「バラエティ」など人が多く話すような番組を視聴した際に、聴力が低下した視聴者に対してより聞き取りやすい速さで番組音声を聞くことができる話速変換機能の利用を促すことができる。このため、本実施の形態によれば、デジタル放送受信機の煩雑なリモコン操作という、ともすれば使用する機会を失いがちな操作環境であっても、リモコンを適切に使えるように導き、視聴者の番組視聴を支援する話速変換機能を十分に活かすことができる。また、本実施の形態によれば、放送局側では特別に複数種類の番組音声を用意する必要が無く、放送局の設備変更は不要であるので、通常のデジタル放送に対して本実施の形態を適用でき、汎用性のある話速変換を行うことができる。
【００３８】
（第２の実施の形態）
次に、本発明の第２の実施の形態について説明する。本実施の形態は、視聴者が話速変換機能を利用したときのジャンルを記憶して、それを基に次に番組を見たときに話速変換機能を利用するのがよいかどうかを提示するようにしたものである。本実施の形態は、視聴者が視聴した番組のジャンルが「ニュース・報道」又は「バラエティ」に限らず、視聴していて、人が話す場面が長い、又は話口調が速いなどの理由で、リモコンにある話速変換ボタンを押下して話速変換機能を動作させた場合を想定している。
【００３９】
次に、本実施の形態の動作について、図１のブロック図と、図６及び図７のフローチャートと共に説明する。本実施の形態では、まず、視聴者による選局操作後、又は番組切り替わり後に図６に示したフローチャートの動作を行う。
【００４０】
すなわち、デジタル放送受信機１８は、アンテナ１で受信した放送電波をチューナ２により復調及びデジタル化して得られた放送番組データから放送映像データと放送音声データとその他のデータとを分離抽出する（ステップＳ１１）。映像データ復号部４は、抽出した放送映像データを復号化して復号映像信号を出力し、また音声データ復号部８は抽出した音声データを復号化して復号音声信号を出力する（ステップＳ１２）。
【００４１】
続いて、ＣＰＵ１３は、視聴者のリモコン１９の話速変換ボタン押下等によって、番組音声が話速変換後の音声に切り換えられているかどうか、つまり音声モードが変わったかどうかを判定する（ステップＳ１３）。音声モードが変わっていなければ、ステップＳ１１〜Ｓ１３の処理を繰り返す。話速変換操作で音声モードが変わった場合は、多重分離部３はその他のデータからＥＩＴを抽出する（ステップＳ１４）。続いて、ＣＰＵ１３は、ＥＩＴから現在視聴中の番組に関するコンテンツ記述子を取り出してジャンルを取得し、そのジャンルを現在の話速変換の速度と共に不揮発性メモリ１２に記憶する（ステップＳ１５）。
【００４２】
本実施の形態では、その後図７に示すフローチャートによる動作を行う。視聴者による選局操作後、又は番組切替わり後に図７のフローチャートの動作が開始され、ステップＳ２１、Ｓ２２、Ｓ２３、Ｓ２４の処理が順次に行われる。ここで、ステップＳ２１、Ｓ２２、Ｓ２３、Ｓ２４の処理は、図４のステップＳ１、Ｓ２、Ｓ３、Ｓ４の処理と同一であるので、その説明を省略する。
【００４３】
ＣＰＵ１３は、ステップＳ２４でジャンルを調べた後、不揮発性メモリ１２に記憶したジャンル情報があるかどうかを判定する（ステップＳ２５）。不揮発性メモリ１２に記憶したジャンル情報がある場合、ＣＰＵ１３は不揮発性メモリ１２から記憶されているジャンル情報を読み出す（ステップＳ２６）。続いて、ＣＰＵ１３は、その読み出したジャンル情報が、ステップＳ２４でＥＩＴから取得したジャンルと一致するかどうかを判定する（ステップＳ２７）。
【００４４】
読み出したジャンル情報が、ＥＩＴから取得したジャンルと一致するときは、ＣＰＵ１３は、現在の音声再生で話速変換部１６が動作しているかを調べる（ステップＳ２８）。続いて、ＣＰＵ１３は、その調べた話速変換部１６の動作が通常以外の音声モードで再生されているか否かを判定する（ステップＳ３０）。ここで、通常以外の音声モードとは、番組音声が通常の音声速度（番組本来の音声速度）よりも遅い音声速度であるモードのことである。
【００４５】
通常以外の音声モードで番組音声が再生されてないときは、ＣＰＵ１３は、話速変換部１６により音声がゆっくり再生されていないと判断し、話速変換を促すＯＳＤを生成して、グラフィック映像ミックス部６で映像データに重畳し、その重畳信号を映像出力部７から出力する（ステップＳ３１）。話速変換を促すＯＳＤの表示方法は、第１の実施の形態のそれと同様である。高齢者等の聴力が低下した視聴者は、この話速変換を促すＯＳＤを見ることで、リモコンの話速変換ボタンを押下して、番組音声の速度を遅くし、番組音声を容易に聞き取ることができるようになる。
【００４６】
一方、ステップＳ２７で、ＣＰＵ１３は読み出したジャンル情報が、ＥＩＴから取得したジャンルと一致しないと判定したときは、視聴中の番組のジャンルが話速変換機能を利用しないジャンルであると判断し、話速変換を促すＯＳＤがデジタル放送受信機１８の画面に表示されていれば、それを消去する（ステップＳ２９）。ステップＳ２９、ステップＳ３０又はステップＳ３１の処理後はステップＳ２１の処理に戻る。
【００４７】
なお、第２の実施の形態において、不揮発性メモリ１２に記憶したジャンルと同じジャンルの番組を視聴するときに、話速変換機能を利用しているかどうかを確認して、話速変換機能を利用していない時に、話速変換を促すＯＳＤを表示するようにしているが（ステップＳ２８、Ｓ３０、Ｓ３１）、話速変換機能を利用しているかどうかの確認は行わず、自動的に話速変換部１６を動作させるようにすると共に、話速変換部１６が動作したことを示すＯＳＤ表示を行うようにしてもよい。
【００４８】
また、不揮発性メモリ１２には、ステップＳ１５で視聴した番組のジャンルと共にその時の話速変換速度も記憶するようにしているので、その後に視聴した番組のジャンルと不揮発性メモリ１２に記憶したジャンルとが一致した時に、不揮発性メモリ１２からジャンルと共に記憶した話速変換速度も読み出して、その話速変換速度による話速変換を促すＤＳＤ表示を行うようにしてもよい。
【００４９】
このように、本実施の形態によれば、視聴者が過去に話速変換機能を利用したときの番組ジャンルを不揮発性メモリ１２に記憶しておき、視聴する番組のジャンルが記憶されている過去の番組ジャンルと一致したときに話速変換を促すＯＳＤを表示するようにしたので、話速変換機能を利用するよう誘導させ、聞き取り難いことによって視聴者が感じるストレスを軽減させることができると共に、視聴者がどのジャンルで話速変換機能を活かすべきかを考えて操作設定する必要を省くことができる。
【００５０】
また、本実施の形態では、例えば、デジタル放送受信機を持つ家族の誰かが、人の話す場面が多い番組を見て、話速変換機能を利用したとすると、その番組のジャンルを不揮発性メモリ１２に記憶し、その後に家族の誰かが不揮発性メモリ１２に記憶したのと同じジャンルの番組を視聴したときに、話速変換機能を促すＯＳＤ表示を行うので、その家族がよく視聴する番組に対応して話速変換機能を提供することもできる。
【産業上の利用可能性】
【００５１】
本発明は、高齢者などの聴力が低下した視聴者が、人の話すシーンが多い番組を視聴した場合に、内容を理解するのが大変になるという問題を、話速変換機能へと導くことによって、容易に聞き取れるようにし、より幅広い視聴者にデジタル放送を楽しんでもらうことができるデジタル放送受信機を提供できる。
【図面の簡単な説明】
【００５２】
【図１】本発明のデジタル放送受信機の一実施の形態のブロック図である。
【図２】ＡＲＩＢで規定されたデジタル放送のデータとして放送される番組配列情報のうち、コンテンツ記述子のデータ構造を示す図である。
【図３】図２に示したコンテンツ記述子のうち、「content_nibble_level_1」で示される番組ジャンル大分類を示す図である。
【図４】本発明のデジタル放送受信機の第１の実施の形態の動作説明用フローチャートである。
【図５】話速変換を促すＯＳＤを表示させた画面の一例を示す図である。
【図６】本発明のデジタル放送受信機の第２の実施の形態の動作説明用フローチャート（その１）である。
【図７】本発明のデジタル放送受信機の第２の実施の形態の動作説明用フローチャート（その２）である。
【符号の説明】
【００５３】
１  アンテナ
２  チューナ
３  多重分離部
４  映像データ復号部
５  効果音再生部
６  グラフィックス映像ミックス部
７  映像出力部
８  音声データ復号部
９  音声合成部
１０  音声出力部
１１  リモコンＩ／Ｆ（インタフェース）
１２  不揮発性メモリ
１３  中央処理装置（ＣＰＵ）
１４  作業メモリ
１５  プログラムメモリ
１６  話速変換部
１７  バス
１８  デジタル放送受信機
１９  リモコン
２０  画面
２１  デジタル放送番組映像
２２  話速変換を促すＯＳＤ（テロップ）
【図１】
2010098522.tif 000003
【図２】
2010098522.tif 000004
【図３】
2010098522.tif 000005
【図４】
2010098522.tif 000006
【図５】
2010098522.tif 000007
【図６】
2010098522.tif 000008
【図７】
2010098522.tif 000009